(57)【要約】【課題】内視鏡で生じた異常に対して的確に対処する。【解決手段】ランプ２６は光を発している。光源装置のいずれかの部位（ＣＣＤ４６、内視鏡スコープ５０の出射端５０ａ、ランプ２６、基板４９等）の検出項目（温度、光量、結露状態等）の少なくとも２つの検出項目の状態を検出する。それぞれの状態を異常であるか否かを判定する。状態が異常であると判定された場合に、その異常が検出された部位の検出項目に応じて、異常レベル（ステータス１〜３）を決定する。光源装置を異常レベル（ステータス１〜３）に応じて、制御する。【選択図】        図１
2004337404.tif 000002
【特許請求の範囲】
【請求項１】
ランプを有する光源装置と、
前記ランプが発する光によって被観察体を観察する内視鏡スコープと、
前記ランプが光を発している間に、前記光源装置および前記内視鏡スコープのいずれかの部位の検出項目のうち、少なくとも２つの検出項目の状態を検出する状態検出手段と、
それぞれの前記状態を異常であるか否かを判定する状態判定手段と、
前記状態判定手段によって、少なくとも１つの前記状態が異常であると判定された場合に、その異常が検出された前記部位の前記検出項目に応じて、異常レベルを決定する異常レベル決定手段と、
前記決定された異常レベルに応じて、前記光源装置を制御する制御手段とを備える内視鏡システム。
【請求項２】
２つ以上の前記検出項目で異常が検出され、２つ以上の異常レベルが決定された場合、前記制御装置は、決定された異常レベルのうちいずれか１つの異常レベルに応じて、前記光源装置を制御することを特徴とする請求項１に記載の内視鏡システム。
【請求項３】
前記異常レベルは、少なくとも３種類あることを特徴とする請求項１に記載の内視鏡システム。
【請求項４】
前記制御手段は、前記ランプの発光を停止させ、警告を発することを特徴とする請求項１に記載の内視鏡システム。
【請求項５】
前記制御手段は、前記ランプの発光を継続しつつ警告を発することを特徴とする請求項１に記載の内視鏡システム。
【請求項６】
前記制御手段は、前記決定された異常レベルを記録媒体に記憶させることを特徴とする請求項１に記載の内視鏡システム。
【請求項７】
前記制御手段は、前記異常レベルを記憶させつつ、ランプの発光を継続し警告を発しないことを特徴とする請求項６に記載の内視鏡システム。
【請求項８】
前記光源装置の起動時に、前記記憶媒体に記憶された異常レベルに応じて、前記制御手段が前記光源装置を制御することを特徴とする請求項６に記載の内視鏡システム。
【請求項９】
前記検出項目の異常のうちの１つは一過性の異常であり、一過性の異常のみが発生した場合には、前記制御手段は、前記異常レベルを記憶させつつ、ランプの発光を継続し警告を発しないことを特徴とする請求項６に記載の内視鏡システム。
【請求項１０】
前記制御手段は、それぞれの前記部位のそれぞれの前記検出項目の状態を記憶媒体に記憶させておくことを特徴とする請求項１に記載の内視鏡システム。
【請求項１１】
前記制御手段は、前記異常がいずれの部位のいずれの検出項目の状態に異常が発生したかを記録媒体に記憶させることを特徴とする請求項１に記載の内視鏡システム。
【発明の詳細な説明】
【０００１】
【発明の属する技術分野】
本発明は、内視鏡システムに関する。
【０００２】
【従来の技術】
内視鏡システムは、光源装置に設けられたランプが発した光を内視鏡スコープの先端部に送り、その光が照射された被写体の画像を内視鏡スコープの先端部に設けられたＣＣＤによって検出する構成が知られている。ここで、例えばＣＣＤに供給される電流に異常が発生した場合には、ＣＣＤが画像を検出することができなくなるので、従来、例えばＣＣＤを含む回路の電流値を検知し異常レベルを検出する構成が知られている（例えば特許文献１）。
【０００３】
【特許文献１】
特許第３０４３８７７号公報
【０００４】
【発明が解決しようとする課題】
ところが、内視鏡システムで発生する異常は、多岐に亘り、複数の異なる箇所で発生する。異なる箇所での異常は、重要度は様々で、例えば、緊急に修理を要するもの、修理を要するが緊急性のないもの、または修理を要しないが異常が発生したことを記憶しておく必要のあるもの等がある。しかし、従来の構成では、複数の箇所で発生する異常の重要度に応じて光源装置の制御を変えることは不可能である。
【０００５】
そこで、本願発明は、複数の箇所で発生する異常を的確に把握し、異常に対して的確に対処することを目的とする。
【０００６】
【課題を解決するための手段】
本発明に係る内視鏡システムは、ランプを有する光源装置と、ランプが発する光によって被観察体を観察する内視鏡スコープと、ランプが光を発している間に、光源装置および内視鏡スコープのいずれかの部位の検出項目のうち、少なくとも２つの検出項目の状態を検出する状態検出手段と、それぞれの状態を異常であるか否かを判定する状態判定手段と、状態判定手段によって、少なくとも１つの状態が異常であると判定された場合に、その異常が検出された部位の検出項目に応じて、異常レベルを決定する異常レベル決定手段と、決定された異常レベルに応じて、光源装置を制御する制御手段とを備えることを特徴とする。これにより、内視鏡システムで起こる異常に対して、的確に対処することができる。
【０００７】
好ましくは、２つ以上の検出項目で異常が検出され、２つ以上の異常レベルが決定された場合、制御装置は、決定された異常レベルのうちいずれか１つの異常レベルに応じて、光源装置を制御する。
【０００８】
異常レベルは、例えば少なくとも３種類ある。例えば、制御手段は、ランプの発光を停止させ、警告を発する。例えば、制御手段は、ランプの発光を継続しつつ警告を発する。
【０００９】
例えば、制御手段は、決定された異常レベルを記録媒体に記憶させる。さらに好ましくは、制御手段は、異常レベルを記憶させつつ、ランプの発光を継続し警告を発しない。
【００１０】
また、好ましくは、光源装置の起動時に、記憶媒体に記憶された異常レベルに応じて、制御手段は光源装置を制御する。好ましくは、検出項目の異常のうちの１つは一過性の異常であり、一過性の異常のみが発生した場合には、制御手段は、異常レベルを記憶させつつ、ランプの発光を継続し警告を発しない。
【００１１】
制御手段は、それぞれの部位のそれぞれの検出項目の状態を記憶媒体に記憶させておくことが好ましい。制御手段は、異常がいずれの部位のいずれの検出項目の状態に異常が発生したかを記録媒体に記憶させることが好ましい。
【００１２】
なお、本明細書において、検出項目とは、状態検出手段（センサ等）によって検出される項目のことを言い、本実施形態では温度、光量、結露の状態のことであるが、これらに限定されるわけではなく、例えば電流、電圧、湿度等であって良い。
【００１３】
また、部位とは、ランプ、ＣＣＤ、内視鏡スコープの出射端、光源装置が有する基板等、光源装置および内視鏡スコープのいずれかの部位のことを言う。
【００１４】
【発明の実施の形態】
図１は本発明の一実施形態である内視鏡システムを示す。内視鏡システムは、光源装置１０と、内視鏡スコープ５０を備える。光源装置１０には、光源装置１０や内視鏡スコープ５０で発生した異常を表示するための表示パネル１６およびＣＰＵ１５に対するコマンドを入力するためのキーボード１７が設けられている。
【００１５】
光源装置１０には、システム電源３５が設けられ、システム電源３５には商用電源（ＡＣ電源）から入力電圧（例えば１００Ｖ）が供給される。システム電源３５の電源が投入されると、ＣＰＵ１５に基準電圧（例えば５Ｖ）が供給される。ランプ電源２０には駆動電圧（例えばＡＣ１００Ｖ）が供給される。
【００１６】
ＣＰＵ１５に基準電圧が印加されると、フラッシュＲＯＭ１４やＲＡＭ１９に格納されたデータに基づきシステム全体が起動されシステムが初期化される。すなわち、例えば光源装置１０に接続されている内視鏡スコープ５０のデータ等が読み込まれ、そのデータがＲＡＭ１９に格納される。また、ＲＡＭ１９、フラッシュＲＯＭ１４に格納されたデータに基づき、ＲＧＢフィルタ４２が始点位置に定められるとともに、絞り２８が開放位置に定められる。さらに、ランプ２６に流れるランプ電流が初期値となるように設定され、ランプ２６が点灯できるように準備される。
【００１７】
システム初期化後、操作パネル１１に設けられたランプスイッチ１２が押されると、ランプスイッチ１２からＣＰＵ１５にスイッチ情報が送られる。ＣＰＵ１５は、ランプ２６が消灯している場合に、スイッチ情報が入力されると、ランプ電源２０に対してランプ点灯指示を出力する。これにより、ランプ２６が点灯する。一方、ＣＰＵ１５は、ランプ２６が点灯している場合に、スイッチ情報が入力されると、ランプ電源２０に対してランプ消灯指示を出力し、ランプ２６は消灯する。
【００１８】
ランプ２６は、ランプハウス２５内に設けられ、ランプ電源２０から供給されるランプ電流に応じて照明光を発する。ランプ２６が発した光は、絞り２８、ＲＧＢフィルタ４２で調光され、ライトガイド４１に送られる。ライドガイド４１に送られた光は、内視鏡スコープ５０の出射端５０ａに送られ、その光は生体内の被観察体に照射される。
【００１９】
光が照射された被観察体の画像は、対物レンズ４５を介してＣＣＤ４６に検出され、その画像は、光源装置１０内にある映像信号処理回路４７で画像処理され、モニタに出力される。
【００２０】
ＣＰＵ１５には、ランプ２６の例えば光の影響を受ける部位の異常を検出するための複数のセンサ（状態検出手段）が接続される。すなわち、ＣＰＵ１５には、第１、第２および第３の温度センサ６１〜６３、光量センサ６４および結露センサ６５が接続されており、ランプ２６の点灯中において、それぞれのセンサが取り付けられた部位の検出項目の状態を検出することができる。第１の温度センサ６１は、内視鏡スコープ５０の出射端５０ａのライトガイド４１の近傍に設けられ、出射端５０ａの温度の状態を検出する。第２の温度センサ６２は、ＣＣＤ４６の近傍に設けられ、ＣＣＤ４６の温度の状態を検出する。第３の温度センサ６３は、後述するランプ２６本体の口金７１（図３参照）近傍に設けられランプ２６の温度の状態を検出する。
【００２１】
光量センサ６４は、ランプ２６の光量を検出する。結露センサ６５は、ＣＰＵ１５、フラッシュＲＯＭ１４、ＲＡＭ１９等が配設される基板４９上に設けられ、基板４９の結露の状態を検出する。基板４９上には、例えばランプ２６の光の熱の影響により基板４９上に結露を発生する場合がある。
【００２２】
それぞれの部位で検出された状態は、異常か否かが判定される。例えば、温度センサ６１〜６３で検出された検出温度は、ＲＡＭ１９に予め記憶されているそれぞれの閾値と比較され、閾値よりもそれぞれの検出温度が高いと判定されると異常であると判定される。光量センサ６４で検出されたランプ２６の光量についても、ＲＡＭ１９に予め記憶されている閾値と比較され、ランプ２６の光量が閾値よりも低下していると判定されると、ＣＰＵ１５ではランプ２６の状態が異常であると判定される。さらに、結露センサ６５で、基板４９上に結露が発生していると検知された場合、結露が発生したことがＣＰＵ１５に送られ、基板４９の状態が異常であると判定される。
【００２３】
上述のように、少なくとも１つの状態が異常であると判定された場合には、その異常が検出された部位の検出項目に応じて、異常レベルが決定される。異常が検出された部位の検出項目によって、異常の重要度が決められるからである。例えば、発生した異常が緊急に修理を要するものであれば、異常レベルはステータス１と決定される。発生した異常は修理を要するが緊急に修理をする必要がないものであれば、異常レベルはステータス２に定められる。発生した異常が修理を要さずまた使用者に知らしめる必要もないが、異常が発生したことを記憶しておく必要のあるものであれば、異常レベルはステータス３に定められる。そして、その定められた異常レベルに応じて、光源装置１０が制御される。
【００２４】
本実施形態においては、温度センサ６１〜６３によって、出射端５０ａ、ランプ２６およびＣＣＤ４６の温度の状態の異常が検出されると、異常レベルはステータス１と定められる。これらの異常は、例えばランプ２６が制御できなくなった場合に起こるものであり、被観察体に熱を与えてしまうので、緊急に修理を要するものである。
【００２５】
また、光量センサ６４によって、ランプ２６の光量の異常が検出されると、異常レベルはステータス２に定められる。この異常は、例えばランプ２６を長時間使用したことにより起こるものであり、直ちに修理を要するものではない。
【００２６】
また、結露センサ６５によって、基板４９における結露の発生が検出されると、異常レベルはステータス３に定められる。この異常は、発生しても証拠が残らない一過性の異常であり、例えばシステム電源３５等のわずかな異常で起こる異常であるので、使用者に知らしめる必要はないが、例えばメーカーのサービスマンは知っておく必要のある異常である。
【００２７】
これらの異常レベルはフラッシュＲＯＭ１４に記憶される。また、同時にフラッシュＲＯＭ１４には、いずれの部位のいずれの検出項目の異常かが記憶される。
【００２８】
異常レベルがステータス１に定められると、ＣＰＵ１５から、ランプ電源２０に対して、ランプ消灯指示が出力され、ランプ２６が消灯させられる。また、表示パネル１６に警告が表示される。さらに、再度ランプスイッチ１２を押しても、ランプ電源２０に対してランプ点灯指示が出力されず、ランプ２６を再点灯させることはできない。異常レベルがステータス２に定められると、ＣＰＵ１５からは消灯指示は出力されないが、表示パネル１６に警告が表示される。異常レベルがステータス３に定められると、消灯動作および表示パネル１６への警告の表示は行われない。
【００２９】
また、これらの異常レベルは一旦それぞれのステータス１〜３に定められると、ＣＰＵ１５への電圧の印加を停止させた場合でもフラッシュＲＯＭ１４に記憶されたままである。したがって、再起動時（電源投入時）においても異常レベルは解除されず、光源装置１０は異常レベルに応じて制御される。
【００３０】
すなわち、再起動した場合に、異常レベルがステータス１に記憶されているときには、表示パネルに警告が表示されると共に初期化動作が行われない。したがって、ランプスイッチ１２を押しても、ランプ２６を点灯することができない。また、再起動した場合に、異常レベルがステータス２に定められているときには、表示パネルに警告が表示されると共に初期化動作が行われるので、ランプスイッチ１２を押すと、ランプ２６を点灯させることができる。異常レベルがステータス３に定められているときには、通常の動作と同様の動作が行われる。
【００３１】
これらの異常レベルは、使用者には知らされていないパスワード等の特定の情報をキーボード１７から入力をしなければ解除できない。すなわち、使用者は、自らこれらの異常レベルを解除することはできないので、例えば、異常レベルがステータス１，２に定められ、警告が表示されている場合には、メーカーのサービスマンに修理を依頼しなければならない。
【００３２】
メーカーのサービスマンは、フラッシュＲＯＭ１４に記憶されている情報によって、異常レベルのステータスおよび異常が発生した部位と異常項目を確認することができるので、それに応じて修理を行うことができる。修理が完了すると、キーボード１７から特定の入力が行われ、ステータスが解除され、内視鏡を正常に使用することができる。なお、サービスマンは、ステータス１、２の異常を確認すると共に、ステータス３の異常の発生についても確認することができる。したがって、サービスマンは、結露の発生のように一過性の異常についても確認することができる。
【００３３】
なお、異常レベルが２つ以上の異常レベルに定められたときには、ＣＰＵ１５は、定められた異常レベルのうちいずれか１つの異常レベルに応じて、光源装置１０を制御する。本実施形態においては、異常レベルが緊急性のより高いステータス１に定められているときには、ステータス１に応じて制御され、異常レベルがステータス１に定められておらずステータス２に定められているときには、ステータス２に応じて制御される。
【００３４】
図２を参照して、内視鏡システムに異常が発生した場合のその異常の記憶方法を説明する。フラッシュＲＯＭ１４には、それぞれが８ビットで構成されるステータスレジスタ１、２および３が設けられる。そして、本実施形態では、それぞれの部位の検出項目ごとに特定のビットが定められ、その部位の検出項目に異常が見られると、それに対応するビットが０から１にセットされる。
【００３５】
ステータスレジスタ１には、ステータス１の異常の発生およびそのステータス１の異常が発生した部位の検出項目が記憶される。すなわち、ステータスレジスタ１のビット０は、出射端５０ａの温度の異常が発生したと判断されると、０から１にセットされる。ビット１は、ランプ２６の温度の状態の異常が発生したと判断されると、０から１にセットされる。ビット２は、ＣＣＤ４６の温度の異常が発生したと判断されると、０から１にセットされる。
【００３６】
ステータスレジスタ２には、ステータス２の異常状態の発生およびそのステータス２の異常状態の発生した部位の検出項目が記憶される。すなわち、ステータスレジスタ２のビット０は、ランプ２６の光量低下が検出されると、０から１にセットされる。
【００３７】
ステータスレジスタ３には、ステータス３の異常状態の発生およびそのステータス３の異常状態の発生した部位の検出項目が記憶される。すなわち、ステータスレジスタ３のビット０は、基板４９において結露が発生したと検出されると、０から１にセットされる。
【００３８】
なお、本実施形態においては、ステータスレジスタ１のビット３〜７、ステータスレジスタ２のビット１〜７およびステータスレジスタ３のビット３〜７は使用されず、常にビットは０にセットされたままである。また、ステータスレジスト１から３のビットは、それぞれ一旦１にセットされると、上述したようにキーボード１７から警告解除の入力に従ってのみ０に戻される。
【００３９】
図３を用いて第３の温度センサ６３、光量センサ６４の設けられる位置について詳細に説明する。図３に示すようにランプ２６は、円柱状に形成されたランプ本体６９を有し、ランプ本体６９の一方の端部には照明光を出射するための窓７３が設けられる。窓７３の周縁には口金７１が嵌合させられている。そして、温度センサ６３はこの口金７１の近傍または口金７１に接する位置に設けられる。
【００４０】
ランプ２６の光路上には、赤外線カットフィルタ２７、ハーフミラー４３、絞り２８、ＲＧＢフィルタ４２が順に配置されている。ランプ２６が発した光は、赤外線カットフィルタ２７によって赤外線がカットされる。赤外線がカットされた光は、一部はハーフミラー４３で反射し、一部はハーフミラー４３を透過する。ハーフミラー４３を透過した光は、絞り２８、ＲＧＢフィルタ４２を透過しライトガイド４１に送られる。ハーフミラーで反射した光は、光量センサ６４に送られ、光量センサ６４は、その光を基に被観察体に送られるランプ光量を検知することができる。
【００４１】
図４〜６に本実施形態のフローチャートを示す。図４はシステム電源３５に電源が投入された後のランプスイッチ１２が押されるまでのフローチャートを示す。ステップ１００で、システム電源３５に電源が投入されると、ステップ１１０では、ステータスレジスタ１のいずれかのビットが１にセットされているか否かが判定される。いずれのビットについても０にセットされている場合にはステップ１３０に進み、いずれかのビットが１にセットされていると判定されると、内視鏡システムを緊急に修理する必要があると判定して、ステップ１１５に進む。ステップ１１５では、表示パネル１６に警告を表示し、ステップ１２０では、内視鏡システムの動作が停止させられ、本ルーチンは終了する。
【００４２】
ステップ１３０では、ステータスレジスタ２のいずれかのビットが１にセットされているか否かが判定される。いずれのビットについても０にセットされている場合にはステップ１４０に進む。一方、いずれかのビットが１にセットされていると判定されると、修理が必要であると判定してステップ１３５で表示パネルに警告を表示した後にステップ１４０に進む。ステップ１４０では、内視鏡システムが初期化され、ランプ２６が点灯するための準備が行われる。ステップ１４５では、ランプスイッチ１２が押されたか否かが判定され、ランプスイッチ１２が押されるとランプ２６が点灯し図５のＡに進む。一方、ランプスイッチ１２が押されないとステップ１４５で待機させられる。
【００４３】
図５は、ランプ点灯時の動作を示す。ランプ２６が点灯させられると、ステップ１６０〜ステップ１８５においてそれぞれの部位の温度に異常があるか否かが判定される。ステップ１６０では、温度センサ６１によって得られた温度情報を基に、内視鏡スコープの出射端５０ａに温度の異常（過熱異常）があるか否かが判定される。異常がないと判定されると、ステップ１７０に進み、異常があると判定されると、ステップ１６５に進む。ステップ１６５ではステータスレジスタ１のビット０が０から１にセットされ、ステップ１７０に進む。
【００４４】
ステップ１７０では、温度センサ６３によって得られた温度情報を基に、ランプ２６に過熱異常があるか否かが判定される。ランプ２６に過熱異常であると判定されるとステップ１７５に進み、ステップ１７５ではステータスレジスタ１のビット０が０から１にセットされた後ステップ１８０に進む。過熱異常がないと判定されると、ステップ１７０からステップ１８０に進む。
【００４５】
ステップ１８０では、温度センサ６２によって得られた温度情報を基に、ＣＣＤ４６に過熱異常があるか否かが判定される。ＣＣＤ４６に異常がないと判定されると、ステップ１９０に進み、異常があると判定されると、ステップ１８５に進む。ステップ１８５ではステータスレジスタ１のビット２が０から１にセットされ、ステップ１９０に進む。
【００４６】
ステップ１９０では、ステータスレジスト１の各ビットが全て０か否かが判定され、全て０と判定されると、ステップ２００に進む。いずれかのビットにおいて、１にセットされていると判定された場合には、ステップ１９５に進み、ランプ２６が直ちに消灯され、ステップ１９６で表示パネル１６に警告が表示され、ステップ１９７で本ルーチンは終了する。
【００４７】
ステップ２００では、光量センサ６４によって得られた光量情報を基に、ランプ光量が異常低下しているか否かが判定され、ランプ光量に異常があると判定されると、ステップ２０５に進み、異常がないと判定されると、ステップ２１０に進む。ステップ２０５では、ステータスレジスタ２のビット０が０から１にセットされ、ステップ２１０に進む。
【００４８】
ステップ２１０では、ステータスレジスト２の各ビットが全て０か否かが判定され、全て０と判定されると、ステップ２２０に進む。いずれかのビットにおいて、１にセットされていると判定された場合には、ステップ２１５に進む。ステップ２１５では、操作パネルに警告が表示された後に、ステップ２２０に進む。
【００４９】
ステップ２２０では、結露センサ６５によって基板４９上に結露が検出されたか否かが判定される。結露が検出されると、ステップ２２５に進み、結露が検出されないと判定されるとステップ２３０に進む。ステップ２２５では、ステータスレジスタ３のビット０が０から１にセットされた後、ステップ２３０に進む。ステップ２３０では、ランプスイッチ１２が押されたか否かが判定され、ランプスイッチ１２が押されていないと判定されると、ステップ１６０に戻り同様のルーチンは繰り返される。ランプスイッチ１２が押されたと判定されると、ステップ２３５に進み、ランプ２６が消灯される。
【００５０】
先述したステップ１９６、ステップ２１５等で警告が表示された場合、内視鏡システムにおいて異常が発生したものを示すものであるので、内視鏡システムのいずれかの部位について修理をする必要がある。ここで、内視鏡システムのいずれかの部位についての修理が行われると、内視鏡システムの異常は解消されるので、ステータスレジスタ１〜２のビットを１から０に書き換える必要がある。そのビットの書き換えの方法を図６のフローチャートを参照して説明する。
【００５１】
ステップ３００で修理が完了すると、ステップ３０５でＩＤパスワードが入力されたか否かが判定され、ＩＤパスワードが入力されたと判定されると、ステップ３２０に進み、ＩＤパスワードが入力されないと、ステップ３０５に戻り、ＩＤパスワードが入力させられるまで待機させられる。ＩＤパスワードは、内視鏡システムの使用者には知らされていない特定の情報である。
【００５２】
ステップ３２０〜ステップ３３５では、ステータス１、２の異常レベルの解除がキーボード１７の入力に従って行われる。ステップ３２０では、キーボード１７より、異常レベルのステータス１を解除するコマンドが入力されたか否かが判定され、ステータス１の異常を解除するコマンドが入力されていないとステップ３３０に進む。キーボード１７において異常レベルのステータス１を解除するコマンドが入力されていると、ステップ３２５でステータス１のすべてのビットに０が書き込まれ、ステップ３３０に進む。
【００５３】
ステップ３３０では、キーボード１７より、異常レベルのステータス２を解除するコマンドが入力されたか否かが判断され、ステータス２の異常を解除するコマンドが入力されていないとステップ３４０に進む。キーボード１７において異常レベルのステータス１を解除するコマンドが入力されていると、ステップ３３５でステータス２のすべてのビットに０が書き込まれ、ステップ３４０に進む。ステップ３４０では、ステータス１，２の異常レベルの解除を終了するか否かが判定され、キーボード１７からステータス１，２の異常レベルの解除を終了するコマンドが入力されていると、ステップ３５０に進み、入力がされていないとステップ３２０に戻る。
【００５４】
ステップ３５０では、ステータス３が呼び出され、表示パネル１６等に表示され、ステータス３の異常が発生したか否かがサービスマンに知らされる。ステップ３６０では、ステータスレジスタ３のビット０が１にセットされているか否かが判定され、ビット０が０にセットされていると判定されると、ステップ３８０に進み本ルーチンは終了する。また、ビット０が１にセットされていると判定されると、ステップ３７０に進み、ビット０に０を書き込み、異常レベルのステータス３を解除してから、本ルーチンは終了する。
【００５５】
なお、ステップ３２５、３３５および３７０において、ステータスのそれぞれのビットを０にセットする際に、フラッシュＲＯＭ１４にいずれの部位のいずれの検出項目で異常が発生したかを記憶させ、それぞれの部位のそれぞれの検出項目で発生した異常の累積回数を記憶させる構成にしてもよい。
【００５６】
なお、本実施形態では、検出項目のうちいずれか１項目の異常が検出されたときに、他の検出項目の状態が記憶される構成にしても良い。ここで、記憶される状態は、異常か否かの状態のみならず、温度、光量等のそのときの数値を記憶する構成にしてもよい。例えば、結露の異常の発生は、ランプ光量の異常によって発生するので、異常が発生した場合の他の部位の状態を記憶することにより、異常の発生する原因が把握しやすくなるからである。
【００５７】
以上のように、本実施形態では、異常を検知した部位の検出項目によって異常レベルを設定し、その異常レベルに応じて内視鏡システムを制御することにより内視鏡システムの異常の対処を適切に行うことができる。特に、本実施形態においては、ランプ２６を発光していれば、ランプ２６の誤作動が直ちに生じる可能性が高い異常が発生した場合には、異常レベルをステータス１に設定し、警告を表示するともにランプ２６を消灯する。また、ランプ２６の発光を継続することによりいずれ誤作動が生じる可能性があるような異常が発生した場合には、異常レベルをステータス２に設定し、警告を表示する。さらに、ランプ２６の発光を継続しても、ランプ２６の誤作動が生じるわけではないが、メーカーのサービスマンに知らせておくべき一過性の異常が発生した場合、異常レベルをステータス３に設定し、その異常が発生したことを記憶させている。
【００５８】
【発明の効果】
以上のように本発明においては、複数の部位の検出項目で発生した異常の重要度に応じて、光源装置を制御することができるので、異常の発生に対して適切に対処することができる。
【図面の簡単な説明】
【図１】本発明の一実施形態に係る内視鏡システムのブロック図である。
【図２】本発明のステータスレジスタ１〜３のそれぞれのビットに記憶される情報の内容を示す図である。
【図３】ランプハウス、絞り、ＲＧＢフィルタを示す図である。
【図４】電源投入からランプ点灯までのルーチンを示すフローチャートである。
【図５】ランプ点灯時のルーチンを示すフローチャートである。
【図６】異常レベルのステータスを解除するためのルーチンを示すフローチャートである。
【符号の説明】
１０  光源装置
１５  ＣＰＵ
１６  表示パネル
１７  キーボード
２６  ランプ
４６  ＣＣＤ
４９  基板
５０  内視鏡スコープ
５０ａ  出射端
６１  第１の温度センサ
６２  第２の温度センサ
６３  第３の温度センサ
６４  光量センサ
６５  結露センサ
【図１】
2004337404.tif 000003
【図２】
2004337404.tif 000004
【図３】
2004337404.tif 000005
【図４】
2004337404.tif 000006
【図５】
2004337404.tif 000007
【図６】
2004337404.tif 000008